(57)【要約】      （修正有） 【課題】シート・バックの背裏面開口部にトレイをはめ込んで固定し、同時にその開口部において表皮の端末処理を行い見映え良くする。 【解決手段】中央部分に開口部２８を有し、シート・バック・フレーム１１の裏面２０に固定されてシート・バック・フレーム１１のほぼ裏面全体を覆うトリム・プレート１４と、シート・バック・フレーム１１に組み付けられ、トリム・プレート１４の裏面２７を覆うシート・バック・パッド１２と、トリム・プレート１４の開口部２８に対応する開口部２３を有し、開口縁２４にフック２５を縫い付け、内側にシート・バック・パッド１２を一体化させてフック２５でトリム・プレート１４の開口縁２９に開口縁２４を止める袋状表皮１３と、背裏面側からその袋状表皮１３の開口部２３にはめ合わせられ、袋状表皮１３の開口部２３を塞いで少なくともトリム・プレート１４に固定されるトレイ１５とを備える。 【選択図】図２
2005306129.tif 000002
【特許請求の範囲】
【請求項１】
中央部分に開口部を有し、そして、シート・バック・フレームの裏面に固定されてそのシート・バック・フレームのほぼ裏面全体を覆うトリム・プレートと、そのシート・バック・フレームに組み付けられ、そして、着座部分から連続されてそのトリム・プレートの裏面を覆うシート・バック・パッドと、そのトリム・プレートのその開口部に対応する開口部を有してその開口部の開口縁にフックを縫い付け、そして、内側にそのシート・バック・パッドを一体化させてそのフックでそのトリム・プレートのその開口部の開口縁にその開口部のその開口縁を止める袋状表皮と、背裏面側からその袋状表皮のその開口部にはめ合わせられ、そして、その袋状表皮のその開口部を塞いで少なくともそのトリム・プレートに固定されるテーブル、トレイ、またはそれ相当品とを備える折りたたみシートに用いる前倒し可能なシート・バック。 
【請求項２】
そのトリム・プレートが、それの表面においてフレーム・メンバーに支持される請求項１に記載の折りたたみシートに用いる前倒し可能なシート・バック。 
【請求項３】
立て壁が、そのテーブル、そのトレイ、またはそれ相当品の周囲を適宜に取り囲み可能にしてそのトリム・プレートのその開口部のその開口縁から適宜に離れ、そして、そのトリム・プレートのその裏面に突き出される請求項１に記載の折りたたみシートに用いる前倒し可能なシート・バック。 
【発明の詳細な説明】
【技術分野】
【０００１】
この発明は、折りたたみシートに用いる前倒し可能なシート・バックに関する。 
【背景技術】
【０００２】
近年、ワゴンのシートでは、シート・バックの背裏面にテーブルやトレイを組み込み、そのシート・バックを前に倒してそのテーブルやそのトレイに食べ物や飲み物を乗せて車室内でくつろげるように配慮されている。 
そのシート・バックがその背裏面に開口部を有し、その開口部においてシート・バック・フレームにテーブル・マウント・プレートを固定させ、そして、その開口部にそのテーブルをはめ込んでそのテーブル・マウント・プレートにそのテーブルを固定する構造を取るので、表皮はその開口部において表皮端末をそのシート・バック・フレームに止めねばならず、その表皮端末の処理が厄介になる不具合がある。 
また、そのテーブル・マウント・プレートが複数のブラケットでそのシート・バック・フレームに固定されるので、そのシート・バック・フレームは部品点数が多くなって構造が複雑になる不具合がある。 
【特許文献１】特開平１１−３０１３２２号公報
【発明の開示】
【発明が解決しようとする課題】
【０００３】
この発明の課題は、シート・バックのフレーム構造を複雑にせずにテーブル、トレイ、またはそれ相当品の取り付けに用いる部品点数を削減でき、そのシート・バックの背裏面に開口される開口部にそのテーブル、そのトレイ、またはそれ相当品をはめ込んで簡単に固定でき、そして、その開口部において表皮の端末処理を容易にできて見映えを良くするところの折りたたみシートに用いる前倒し可能なシート・バックの提供にある。 
【課題を解決するための手段】
【０００４】
この発明は、中央部分に開口部を有し、そして、シート・バック・フレームの裏面に固定されてそのシート・バック・フレームのほぼ裏面全体を覆うトリム・プレートと、そのシート・バック・フレームに組み付けられ、そして、着座部分から連続されてそのトリム・プレートの裏面を覆うシート・バック・パッドと、そのトリム・プレートのその開口部に対応する開口部を有してその開口部の開口縁にフックを縫い付け、そして、内側にそのシート・バック・パッドを一体化させてそのフックでそのトリム・プレートのその開口部の開口縁にその開口部のその開口縁を止める袋状表皮と、背裏面側からその袋状表皮のその開口部にはめ合わせられ、そして、その袋状表皮のその開口部を塞いで少なくともそのトリム・プレートに固定されるテーブル、トレイ、またはそれ相当品とを備える。 
【発明の効果】
【０００５】
この発明では、そのトリム・プレートが複数のブラケットを用いずに、そして、そのシート・バック・フレームの構造を複雑にせずにそのシート・バック・フレームに固定可能になり、そのテーブル、そのトレイ、またはそれ相当品がそのシート・バックのその背裏面に開口される開口部にはめ込まれて簡単に固定され、そして、その開口部において表皮の端末処理がフック止めで可能になって簡単になり、そして、その表皮の端末処理がそのテーブル、そのトレイ、またはそれ相当品で隠されて見映えが良くなる。 
【発明を実施するための最良の形態】
【０００６】
そのトリム・プレートが、中央部分に開口部を有してそのシート・バック・フレームのほぼ裏面全体を覆う形状、寸法に設定され、そして、テーブル、トレイ、またはそれ相当品の周囲を適宜に取り囲み可能にし、そのトリム・プレートのその開口部のその開口縁から適宜に離れてそのトリム・プレートのその裏面に突き出されるところの立て壁を有し、シート・バック・パッドが、そのシート・バックに組み付けられ、そして、着座部分から連続されてそのトリム・プレートのその裏面を覆い、そして、袋状表皮が、そのトリム・プレートのそのトリム・プレートのその開口部に対応する開口部を有してその開口部の開口縁に樹脂フックを縫い付け、そして、内側にそのシート・バック・パッドを一体化させてその樹脂フックでそのトリム・プレートのその開口部の開口縁にその開口部の開口縁を止め、そして、そのテーブル、そのトレイ、またはそれ相当品が、背裏面側からその袋状表皮のその開口部にはめ合わせられ、そして、その袋状表皮のその開口部を塞いで爪でそのトリム・プレートに、そして、ねじでそのシート・バック・フレームにも固定される。
【実施例１】
【０００７】
以下、特定されて図示された具体例に基づいて、この発明の折りたたみシートに用いる前倒し可能なシート・バックを説明するに、図１ないし図４は、ワゴンのセカンド・シートに活用されるところのこの発明の折りたたみシートに用いる前倒し可能なシート・バックの具体例１０を示し、そして、この前倒し可能なシート・バック１０では、トリム・プレート１４が中央部分に開口部２８を有し、そして、シート・バック・フレーム１１の裏面２０にねじ止めされてそのシート・バック・フレーム１１のほぼ裏面全体を覆い、また、シート・バック・パッド１２が、そのシート・バック・フレーム１１に組み付けられ、そして、着座部分２２から連続されてそのトリム・プレート１４の裏面２７を覆い、さらに、袋状表皮１３が、そのトリム・プレート１４のその開口部２８に対応する開口部２３を有してその開口部２３の開口縁２４に樹脂フック２５を縫い付け、そして、内側にそのシート・バック・パッド１２を一体化させてその樹脂フック２５でそのトリム・プレート１４のその開口部２８の開口縁２９にその開口部２３のその開口縁２４を止め、またさらに、トレイ１５が背裏面側からその袋状表皮１３のその開口部２３にはめ合わせられ、そして、その袋状表皮１３のその開口部２３を塞いでそのシート・バック・フレーム１１およびトリム・プレート１４に固定される。 
【０００８】
そのトリム・プレート１４は、そのシート・バック・フレーム１１のほぼ裏面全体を覆う形状、寸法に設定されて薄い鋼板から成形され、そしてその中央部分にその開口部２８を打ち抜く。その開口部２８はそのトリム・プレート１４の上端に開放されて長方形開口にそのトリム・プレート１４を打ち抜いてそのトリム・プレート１４に成形される。 
さらに、このトリム・プレート１４には、立て壁３０が、ほぼＵ字形でそのトレイ１５の周囲を適宜に取り囲み可能にしてそのトリム・プレート１４のその開口部２８のその開口縁２９から適宜に離れ、そして、そのトリム・プレート１４のその裏面２７に突き出される。 
このトリム・プレート１４は、また、そのシート・バック・フレーム１１のその裏面２０にねじ止めされ、そして、それの表面２６においてワイヤ・フレーム・メンバー２１にも支持される。そのように、そのトリム・プレート１４は、そのワイヤ・フレーム・メンバー２１にも支持されるので、そのトリム・プレート１４は樹脂プレートに成形されてもかまわない。 
【０００９】
その袋状表皮１３は、その開口部２３のその開口縁２４にそのほぼＵ字形樹脂フック２５を縫い付け、そして、そのトリム・プレートのその開口部２８のその開口縁２９にその樹脂フック２５を掛けて止められる。そのように、その袋状表皮１３は、その樹脂フック２５でその開口部２３の表皮端末が簡単に処理される。 
【００１０】
そのトレイ１５は、上端に２個のねじ穴３１、３１を明けてねじ３３、３３でそのシート・バック・フレーム１１のフレーム・トップ（図示せず）に直接ねじ止めされ、また、底壁から下端に一対の爪３２、３２を突き出してその一対の爪３２、３２でそのトリム・プレート１４のその開口部２８のその開口縁２９に掛け止めされる。勿論、このトレイ１５は、テーブルやそれ相当品であってもかまわない。 
【００１１】
したがって、この前倒し可能なシートバック１０では、そのトリム・プレート１４が複数のブラケットを用いずにそのシート・バック・フレーム１１に取り付け可能になってそのシート・バック・フレーム１１の構造の複雑化が回避され、そのトレイ１５がそのシート・バック１０の背裏面に開口される開口部であるところのその袋状表皮１３のその開口部２３にはめ込まれてそのねじ３１、３１およびその一対の爪３２、３２でそのシート・バック・フレーム１１のそのフレーム・トップおよびトリム・プレート１４のその開口部２８のその開口縁２９に簡単に固定され、その開口部においてその袋状表皮１３の端末がその樹脂フック２５でそのトリム・プレート１４のその開口部２８のその開口縁２９に掛け止め可能になって表皮端末が簡単に処理可能になり、そして加えて、その袋状表皮１３の端末処理がそのトレイ１５で隠されて見映えが良くなる。また、この前倒し可能なシート・バック１０は、アームレストの効果も果たす。 
【００１２】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００１３】
上述から理解されるように、この発明の折りたたみシートに用いる前倒し可能なシート・バックは、中央部分に開口部を有し、そして、シート・バック・フレームの裏面に固定されてそのシート・バック・フレームのほぼ裏面全体を覆うトリム・プレートと、そのシート・バック・フレームに組み付けられ、そして、着座部分から連続されてそのトリム・プレートの裏面を覆うシート・バック・パッドと、そのトリム・プレートのその開口部に対応する開口部を有してその開口部の開口縁にフックを縫い付け、そして、内側にそのシート・バック・パッドを一体化させてそのフックでそのトリム・プレートのその開口部の開口縁にその開口部のその開口縁を止める袋状表皮と、背裏面側からその袋状表皮のその開口部にはめ合わせられ、そして、その袋状表皮のその開口部を塞いで少なくともそのトリム・プレートに固定されるテーブル、トレイ、またはそれ相当品とを備えるので、この発明の折りたたみシートに用いる前倒し可能なシート・バックでは、そのトリム・プレートが、ブラケットを用いずにそのシート・バック・フレームに取り付け可能になり、テーブル、トレイ、またはそれ相当品の取付けに用いる部品点数が、削減されてそのシート・バックのフレーム構造の複雑化が回避され、そのテーブル、そのトレイ、またはそれ相当品が、そのシート・バックの背裏面に開口される開口部にはめ込まれて簡単に固定可能になり、そして、その開口部においてその袋状表皮の端末が、そのフックでそのトリム・プレートのその開口部のその開口縁に止め可能になってその表皮端末が、簡単に処理可能になり、そして加えてその袋状表皮の端末処理が、そのテーブル、そのトレイ、またはそれ相当品で隠されて見映えが良くなり、その結果、自動車シートにとって非常に有用で実用的である。 
【図面の簡単な説明】
【００１４】
【図１】ワゴンのセカンド・シートに活用されるところのこの発明の折りたたみシートに用いる前倒し可能なシート・バックの具体例を背裏面側から見て示した斜視図である。
【図２】トレイを省いて図１の２−２線に沿って示した断面図である。
【図３】袋状表皮の端末処理を示した断面図である。
【図４】トリム・プレートおよびトレイを示した斜視図である。
【符号の説明】
【００１５】
１１  シート・バック・フレーム 
１２  シート・バック・パッド 
１３  袋状表皮 
１４  トリム・プレート 
１５  トレイ 
２０  裏面 
２２  着座部分 
２３  開口部 
２４  開口縁 
２５  樹脂ブロック 
２６  表面 
２７  裏面 
２８  開口部 
２９  開口縁 
３０  立て壁 
３２  爪 
【図１】
2005306129.tif 000003
【図２】
2005306129.tif 000004
【図３】
2005306129.tif 000005
【図４】
2005306129.tif 000006